(57)【要約】【課題】  短時間の停電復帰後に素早く再運転できる暖房機を提供する。【解決手段】    運転中に不揮発性の記憶手段である記憶部１７に運転状態として運転中という情報を記憶させ、電源消失が発生して電源復帰した場合、記憶部１７に記憶されている運転状態が運転中で、更にバーナ５の温度が所定温度以上の時、バーナ５を所定温度に予熱する予熱制御を開始するので、電源消失から電源復帰までの時間を計時するタイマー手段やそのタイマー手段に電源を供給するバックアップ用電源が不要であり、又、電源消失してから短時間で電源復帰した時、運転スイッチをＯＮ操作してから短時間で運転を再開することができるものである。【選択図】  図３
2014173817.tif 000002
【特許請求の範囲】
【請求項１】
バーナと、該バーナの温度を検知するバーナ温度検知センサと、バーナを加熱するヒータと、運転状態を記憶する不揮発性の記憶手段からなる記憶部と、運転の制御を行う制御部とを備えた暖房機に於いて、前記制御部は運転中に記憶部に運転状態として運転中という情報を記憶させ、電源消失が発生して電源復帰した場合、記憶部に記憶されている運転状態が運転中で、更にバーナの温度が所定温度以上の時、バーナを所定温度に予熱する予熱制御を開始することを特徴とする暖房機。
【請求項２】
バーナと、該バーナの温度を検知するバーナ温度検知センサと、バーナを加熱するヒータと、運転状態を記憶する不揮発性の記憶手段からなる記憶部と、計時するタイマー部と、運転の制御を行う制御部とを備えた暖房機に於いて、前記制御部は運転中に記憶部に運転状態として運転中という情報を記憶させ、電源消失が発生して電源復帰した場合、記憶部に記憶されている運転状態が運転中で、更にバーナの温度が所定温度以上の時、バーナを所定温度に予熱する予熱制御を所定時間行うことを特徴とする暖房機。
【請求項３】
バーナと、該バーナの温度を検知するバーナ温度検知センサと、バーナを加熱するヒータと、運転状態を記憶する不揮発性の記憶手段からなる記憶部と、計時するタイマー部と、運転の開始及び停止をさせる運転スイッチと、運転の制御を行う制御部とを備えた暖房機に於いて、前記制御部は運転中に記憶部に運転状態として運転中という情報を記憶させ、電源消失が発生して電源復帰した場合、記憶部に記憶されている運転状態が運転中で、更にバーナの温度が所定温度以上の時、バーナを所定温度に予熱する予熱制御を開始すると共にタイマー部の計時を開始し、タイマー部の計時を開始してから所定時間経過するまでに運転スイッチがＯＮ操作された時に運転を開始し、タイマー部の計時を開始してから所定時間経過するまでに運転スイッチがＯＮ操作されない時にバーナの予熱制御を終了して運転停止状態とすることを特徴とする暖房機。
【発明の詳細な説明】
【技術分野】
【０００１】
この発明は、バーナーで燃焼することにより室内を暖房する温風暖房機に関するものである。
【背景技術】
【０００２】
従来よりこの種のものでは、室温を検出する温度検出手段の温度情報に基づき、制御手段により暖房を行なう暖房機器において、暖房動作を行なうのに必要な制御プログラムを記憶した制御プログラム記憶手段と、この制御プログラムの動作処理中に作業用領域として記憶される作業用記憶手段と、ＥＥＰＲＯＭで構成される不揮発性記憶手段とを備え、前記制御手段は、通電時に前記制御プログラム記憶手段または前記作業用記憶手段に記憶される情報を前記不揮発性記憶手段に記憶転送し、停電復帰時に該不揮発性記憶手段に記憶された情報を前記作業用記憶手段に転送して、この転送した情報を用いて前記制御プログラムを実行するものがあった。（例えば、特許文献１参照。）
【０００３】
又、給湯器等のガス燃焼機器において、停電、電圧降下を検知する電源電圧監視手段と、その時間をカウントするタイマー手段と、炎の有無を検知する炎検知手段とを有し、これらをシーケンス回路に接続した燃焼制御装置において、上記電源電圧監視手段が停電又は電圧降下を検知し、上記タイマー手段Ｍが計時する一定時間内の瞬時停電又は瞬時電圧降下中に上記炎検知手段Ｍが炎無しを検知したときは再着火を行い燃焼を継続させる再着火手段を備えたものがあった。（例えば、特許文献２参照。）
【先行技術文献】
【特許文献】
【０００４】
【特許文献１】特開平１１−３４４２２２号公報
【特許文献２】特開平０８−２４０３１３号公報
【発明の概要】
【発明が解決しようとする課題】
【０００５】
ところでこの従来のもので特許文献１のものでは、停電発生前の各種情報をＥＥＰＲＯＭで構成される不揮発性記憶手段に記憶保持され、停電復帰時に不揮発性記憶手段に記憶保持された各種情報に基づいて暖房動作を実行できるが、停電が短時間ですぐに停電復帰しても、暖房装置は運転を停止したままの状態なので、使用者が運転スイッチをＯＮ操作しないと燃焼装置のバーナの温度が低下していき、停電復帰後しばらくしてから使用者が運転スイッチをＯＮ操作しても、低温となったバーナが着火可能温度まで上昇するまでには時間がかかり、すぐに運転を再開できないという問題があった。
【０００６】
又、特許文献２のものでは、停電により電源のない状態でも停電発生から停電復帰までの時間を計時できるタイマー手段もしくは、停電時にタイマー手段に電源を供給するバックアップ用電源を備えなくてはならないという問題があった。
【課題を解決するための手段】
【０００７】
上記課題を解決するために、本発明の請求項１では、バーナと、該バーナの温度を検知するバーナ温度検知センサと、バーナを加熱するヒータと、運転状態を記憶する不揮発性の記憶手段からなる記憶部と、運転の制御を行う制御部とを備えた暖房機に於いて、前記制御部は運転中に記憶部に運転状態として運転中という情報を記憶させ、電源消失が発生して電源復帰した場合、記憶部に記憶されている運転状態が運転中で、更にバーナの温度が所定温度以上の時、バーナを所定温度に予熱する予熱制御を開始するものである。
【０００８】
また、請求項２では、バーナと、該バーナの温度を検知するバーナ温度検知センサと、バーナを加熱するヒータと、運転状態を記憶する不揮発性の記憶手段からなる記憶部と、計時するタイマー部と、運転の制御を行う制御部とを備えた暖房機に於いて、前記制御部は運転中に記憶部に運転状態として運転中という情報を記憶させ、電源消失が発生して電源復帰した場合、記憶部に記憶されている運転状態が運転中で、更にバーナの温度が所定温度以上の時、バーナを所定温度に予熱する予熱制御を所定時間行うものである。
【０００９】
また、請求項３では、バーナと、該バーナの温度を検知するバーナ温度検知センサと、バーナを加熱するヒータと、運転状態を記憶する不揮発性の記憶手段からなる記憶部と、計時するタイマー部と、運転の開始及び停止をさせる運転スイッチと、運転の制御を行う制御部とを備えた暖房機に於いて、前記制御部は運転中に記憶部に運転状態として運転中という情報を記憶させ、電源消失が発生して電源復帰した場合、記憶部に記憶されている運転状態が運転中で、更にバーナの温度が所定温度以上の時、バーナを所定温度に予熱する予熱制御を開始すると共にタイマー部の計時を開始し、タイマー部の計時を開始してから所定時間経過するまでに運転スイッチがＯＮ操作された時に運転を開始し、タイマー部の計時を開始してから所定時間経過するまでに運転スイッチがＯＮ操作されない時にバーナの予熱制御を終了して運転停止状態とするものである。
【発明の効果】
【００１０】
この発明の請求項１によれば、運転中に記憶部に運転状態として運転中という情報を記憶させ、電源消失が発生して電源復帰した場合、記憶部に記憶されている運転状態が運転中で、更にバーナの温度が所定温度以上の時、バーナを所定温度に予熱する予熱制御を開始するので、「運転中」や「運転停止」の運転状態を不揮発性の記憶手段であるＥＥＰＲＯＭ等で構成される記憶部に記憶させることで、停電等により電源が消失しても電源消失前の運転状態をバックアップ用電源無しで記憶しておくことができ、更に電源復帰した時に記憶部に記憶されている運転状態が「運転中」で、更にバーナの温度が所定温度以上である時に、運転中に電源が消失し、電源消失してから短時間で電源復帰したと判断するので、電源消失から電源復帰までの時間を計時するタイマー手段やそのタイマー手段に電源を供給するバックアップ用電源が不要であるものである。
【００１１】
又、運転中に電源が消失し、電源消失してから短時間で電源復帰したと判断すると、バーナの温度が所定温度になるようにバーナの予熱制御を行うので、電源消失してから短時間で電源復帰した時、運転スイッチをＯＮ操作してから短時間で運転が再開できるものである。
【００１２】
また、請求項２によれば、運転中に記憶部に運転状態として運転中という情報を記憶させ、電源消失が発生して電源復帰した場合、記憶部に記憶されている運転状態が運転中で、更にバーナの温度が所定温度以上の時、バーナを所定温度に予熱する予熱制御を所定時間行うので、「運転中」や「運転停止」の運転状態を不揮発性の記憶手段であるＥＥＰＲＯＭ等で構成される記憶部に記憶させることで、停電等により電源が消失しても電源消失前の運転状態をバックアップ用電源無しで記憶しておくことができ、更に電源復帰した時に記憶部に記憶されている運転状態が「運転中」で、更にバーナの温度が所定温度以上である時に、運転中に電源が消失し、電源消失してから短時間で電源復帰したと判断するので、電源消失から電源復帰までの時間を計時するタイマー手段やそのタイマー手段に電源を供給するバックアップ用電源が不要であるものである。
【００１３】
又、運転中に電源が消失し、電源消失してから短時間で電源復帰したと判断すると、バーナの温度が所定温度になるように所定時間バーナの予熱制御を行うので、電源消失してから短時間で電源復帰した時、運転スイッチをＯＮ操作してから短時間で運転が再開できると共に、電源復帰してから所定時間を経過するとバーナの予熱制御を終了してバーナの予熱制御のための電力消費を抑えることができるものである。
【００１４】
また、請求項３によれば、運転中に記憶部に運転状態として運転中という情報を記憶させ、電源消失が発生して電源復帰した場合、記憶部に記憶されている運転状態が運転中で、更にバーナの温度が所定温度以上の時、バーナを所定温度に予熱する予熱制御を開始すると共にタイマー部の計時を開始し、タイマー部の計時を開始してから所定時間経過するまでに運転スイッチがＯＮ操作された時に運転を開始し、タイマー部の計時を開始してから所定時間経過するまでに運転スイッチがＯＮ操作されない時にバーナの予熱制御を終了して運転停止状態とするので、「運転中」や「運転停止」の運転状態を不揮発性の記憶手段であるＥＥＰＲＯＭ等で構成される記憶部に記憶させることで、停電等により電源が消失しても電源消失前の運転状態をバックアップ用電源無しで記憶しておくことができ、更に電源復帰した時に記憶部に記憶されている運転状態が「運転中」で、更にバーナの温度が所定温度以上である時に、運転中に電源が消失し、電源消失してから短時間で電源復帰したと判断するので、電源消失から電源復帰までの時間を計時するタイマー手段やそのタイマー手段に電源を供給するバックアップ用電源が不要であるものである。
【００１５】
又、運転中に電源が消失し、電源消失してから短時間で電源復帰したと判断すると、バーナの温度が所定温度になるように所定時間バーナの予熱制御を行うので、電源消失してから短時間で電源復帰した時、運転スイッチをＯＮ操作してから短時間で運転が再開できると共に、電源復帰してから所定時間を経過するとバーナの予熱制御を終了してバーナの予熱制御のための電力消費を抑えることができるものである。
【図面の簡単な説明】
【００１６】
【図１】この発明の一実施形態を示す外観斜視図。
【図２】同ブロック図。
【図３】同停電復帰時の制御のフローチャート図。
【発明を実施するための形態】
【００１７】
次にこの発明に係る暖房機を図面に示す一実施例で説明する。
１は温風吹出口で、本体２の前面パネル３に設けたグリル４により形成されているものである。
【００１８】
５はバーナで、運転開始時には所定温度までヒータ６により加熱され、燃焼用ファン７により吸い込まれる燃焼用空気と電磁ポンプ８により供給される燃料とを混合してガス化し、それを点火手段９にて点火してガス化し燃焼させるものである。
【００１９】
前記燃焼ガスはバーナ５の上部に設けられた燃焼筒（図示せず）の上部開口（図示せず）より上方に流れ、送風ファン１０によりバーナ５の燃焼によって発生した熱を送風と共に温風として温風吹出口１より吹き出させ、室温センサ１１により検知される室温が設定温度になるように暖房運転を行うものである。
【００２０】
１２は暖房運転のオン・オフを行う運転スイッチ１３等の各種スイッチを備えた操作部である。
１４は表示部で、設定温度や室温センサ１１により検知される室温等表示するものである。
１５は報知部で、各種警報音や音声等により報知を行うものである。  
【００２１】
１６はタイマー部で、計時を行うものである。
１７は不揮発性の記憶手段であるＥＥＰＲＯＭ等で構成される記憶部で、検知された室温や運転状態等各種情報を記憶するものである。
１８はバーナ温度検知センサで、バーナ５の温度を検知するものである。
１９は制御部で、暖房運転の制御や停電復帰時の制御等行うものである。
【００２２】
次に、本実施形態の停電復帰時の制御について図３のフローチャート図に基づいて説明する。
まず、制御部１９は、運転スイッチ１３がＯＮ操作されて運転が開始したかを確認し（Ｓ１）、運転が開始したのを確認すると、制御部１９は記憶部１７に運転状態として「運転中」を記憶させる。（Ｓ２）
【００２３】
そして停電発生、又は異常事態の発生、又は誤って運転中に機器の電源プラグを電源コンセントから取り外したこと等により電源が消失されると（Ｓ３）、機器は運転を停止してしまう。（Ｓ４）
【００２４】
そして停電復帰、又は異常事態の解消、又は誤って運転中に機器の電源プラグを電源コンセントから取り外した後に再度電源プラグを電源コンセントに差し込んだ等により電源が復帰されると（Ｓ５）、制御部１９は記憶部１７に記憶されている運転状態が「運転中」であるかを確認する。（Ｓ６）
【００２５】
そして（Ｓ６）で記憶部１７に記憶されている運転状態が「運転中」である場合、制御部１９はバーナ温度検知センサ１８によりバーナ５の温度を検知し、バーナ５の温度が所定温度以上かを確認する。（Ｓ７）
【００２６】
そして（Ｓ７）でバーナ５の温度が所定温度以上である時、制御部１９は短時間の停電の発生、又は短時間の異常事態の発生、又は機器の電源プラグを電源コンセントから取り外した後にすぐに電源プラグを電源コンセントに差し込んだ等により、運転中に電源が消失し、電源消失してから短時間で電源復帰したと判断し（Ｓ８）、タイマー部１６で計時を開始する（Ｓ９）と共に、バーナ５の温度が所定温度になるようにバーナ５の予熱制御を開始する。（Ｓ１０）  
【００２７】
そしてその状態で使用者が短時間の停電や短時間の異常事態のために運転が停止しているのに気がついたり、又は機器の電源プラグを電源コンセントから取り外した後にすぐに電源プラグを電源コンセントに差し込んだ後に、運転を再開しようと運転スイッチ１３をＯＮ操作すると（Ｓ１１）、制御部１９は運転開始動作に入って運転を開始するものである。（Ｓ１２）
【００２８】
この時、制御部１９が運転開始動作に入ってバーナ５を着火可能温度まで加熱するが、バーナ５は予熱制御により所定温度に予熱されているため、着火可能温度まで短時間で温度上昇してすぐに運転を開始するものである。
【００２９】
又、（Ｓ３）で電源が消失されない場合は、制御部１９は運転スイッチがＯＦＦ操作されたかをを確認し（Ｓ１３）、運転スイッチがＯＦＦ操作されたのを確認すると、制御部１９は運転を停止して（Ｓ１４）、記憶部１７に運転状態として「運転停止」を記憶させて（Ｓ１５）、（Ｓ１）に戻るものである。
【００３０】
又、（Ｓ６）で記憶部１７に運転状態として「運転停止」が記憶されていた場合、制御部１９は電源が消失発生時に運転は停止していたと判断して、（Ｓ１）に戻るものである。
又、（Ｓ７）でバーナ５の温度が所定温度未満である時、制御部１９は長時間の停電、又は機器の電源プラグを電源コンセントから取り外した後にずっと電源プラグを電源コンセントに差し込こまなかったために電源の消失から長時間経過してから電源復帰が発生したと判断して再運転はないものとして（Ｓ１５）に進むものである。
【００３１】
又、（Ｓ１１）で運転スイッチ１３がＯＮ操作されない場合、制御部１９は（Ｓ９）でタイマー部１６の計時が開始してから所定時間経過したかを判断し（Ｓ１６）、運転スイッチ１３がＯＮ操作されないままタイマー部１６の計時が開始してから所定時間経過した時、制御部１９は再運転しないと判断して、タイマー部１６の計時を終了する（Ｓ１７）と共に、バーナ５の予熱制御を終了して（Ｓ１８）、（Ｓ１５）に進むものである。
【００３２】
以上のように「運転中」や「運転停止」の運転状態を不揮発性の記憶手段であるＥＥＰＲＯＭ等で構成される記憶部１７に記憶させるので、停電等により電源が消失しても電源消失前の運転状態をバックアップ用電源無しで記憶しておくことができるものである。
【００３３】
又、電源復帰した時に記憶部１７に記憶されている運転状態が「運転中」で、更にバーナ５の温度が所定温度以上である時に、運転中に電源が消失し、電源消失してから短時間で電源復帰したと判断するので、電源消失から電源復帰までの時間を計時するタイマー手段やそのタイマー手段に電源を供給するバックアップ用電源が不要であるものである。
【００３４】
又、運転中に電源が消失し、電源消失してから短時間で電源復帰したと判断すると、バーナ５の温度が所定温度になるように所定時間バーナ５の予熱制御を行うので、電源消失してから短時間で電源復帰した時、運転スイッチ１３をＯＮ操作してから短時間で運転が再開できるものである。
【符号の説明】
【００３５】
５  バーナ
６  ヒータ
１７  記憶部
１８  バーナ温度検知センサ
１９  制御部
【図１】
2014173817.tif 000003
【図２】
2014173817.tif 000004
【図３】
2014173817.tif 000005